(57)【特許請求の範囲】
【請求項１】
箱形に形成したケーシングの内部に発電機と該発電機を駆動するエンジンとを収容するとともに、前記ケーシングの発電機側の側面に操作盤及び出力端子盤を設けたエンジン発電機において、
前記ケーシングを、床台上に立設した前面板、背面板及び前記エンジン側の側面板と、ケーシング上部を覆う天井板とにて形成し、
前記発電機の上部に制御盤が配置され、
前記発電機側の側面に前記操作盤及び前記出力端子盤を装着するための開口部を設け、
該開口部の上部側に前記操作盤を取り付けるための上部側面パネルを配置し、
該上部側面パネルに前記操作盤を取り付けるとともに、
該操作盤の背面には、前記制御盤に接続される複数のケーブルが着脱可能なコネクタを介して設けられ、
前記上部側面パネルの両側縁部を前記前面板及び前記背面板の端部にそれぞれ止着し、
前記開口部の下部側に前記出力端子盤及び下部側面パネルを配置し、
前記出力端子盤の両側縁部を前記前面板及び前記背面板の端部に止着し、
前記下部側面パネルに前記出力端子盤を露出させる開口を設けるとともに、
該下部側面パネルの両側縁部を前記前面板及び前記背面板の端部に止着し、
前記操作盤を含む前記上部側面パネル及び前記出力端子盤を含む前記下部側面パネルによって前記開口部を閉塞し、
前記操作盤の背面及び前記出力端子盤の背面に、前記発電機から前記操作盤の背面及び前記制御盤の間に至る空間部を確保した
ことを特徴とするエンジン発電機。
【発明の詳細な説明】
【技術分野】
【０００１】
本発明は、エンジン発電機に係り、詳しくは、エンジン及び発電機を制御するための操作盤と発電機からの電力を出力する出力端子盤とをケーシングの一側面に備えたエンジン発電機に関する。
【背景技術】
【０００２】
一般的なエンジン発電機は、床台の上部に設けられたケーシングの内部に、発電機及び該発電機を駆動するエンジン、燃料タンク等の機器を収容するとともに、ケーシングの一側面に、エンジン及び発電機を制御するための操作盤と、発電機で発電した電力を外部に出力する複数の接続端子を備えた出力端子盤とを配置している。操作盤及び出力端子盤の取付構造として、図７に示すように、ケーシング５１の内部に収容した発電機５２の上方を跨ぐようにして架台５３を設置し、この架台５３の上面に操作盤５４を固着するとともに、架台５３の下面端部に出力端子盤５５を固着し、操作盤５４の前面に上部カバー５６を着脱可能に設け、該上部カバー５６の下方に、出力端子盤５５を外部に露出させる開口を備えた下部カバー５７を着脱可能に設けたものが知られている。（例えば、特許文献１参照。）。
【先行技術文献】
【特許文献】
【０００３】
【特許文献１】特開２００７−２６７５４６号公報
【発明の概要】
【発明が解決しようとする課題】
【０００４】
しかし、上述の特許文献１のものでは、下部カバー５７を取り外すことで前記架台５３の下方に位置する発電機５２のメンテナンスを容易に行うことはできるが、操作盤５４や出力端子盤５５をケーシング５１に着脱する際の配線作業は、発電機５２を跨いでケーシング５１内を上下に区画するように設けられた架台５３が邪魔になり、特に、出力端子盤５５への配線５８は、架台５３の下方からしか作業ができず、作業者に大きな負担を与えていた。また、架台５３のために死角となる箇所も多いことから、点検などの作業性にも悪影響を与えていた。
【０００５】
そこで本発明は、操作盤や出力端子盤の配線作業を容易かつ確実に行うことができるエンジン発電機を提供することを目的としている。
【課題を解決するための手段】
【０００６】
上記目的を達成するため、本発明のエンジン発電機は、箱形に形成したケーシングの内部に発電機と該発電機を駆動するエンジンとを収容するとともに、前記ケーシングの発電機側の側面に操作盤及び出力端子盤を設けたエンジン発電機において、前記ケーシングを、床台上に立設した前面板、背面板及び前記エンジン側の側面板と、ケーシング上部を覆う天井板とにて形成し、前記発電機の上部に制御盤が配置され、前記発電機側の側面に前記操作盤及び前記出力端子盤を装着するための開口部を設け、該開口部の上部側に前記操作盤を取り付けるための上部側面パネルを配置し、該上部側面パネルに前記操作盤を取り付けるとともに、該操作盤の背面には、前記制御盤に接続される複数のケーブルが着脱可能なコネクタを介して設けられ、前記上部側面パネルの両側縁部を前記前面板及び前記背面板の端部にそれぞれ止着し、前記開口部の下部側に前記出力端子盤及び下部側面パネルを配置し、前記出力端子盤の両側縁部を前記前面板及び前記背面板の端部に止着し、前記下部側面パネルに前記出力端子盤を露出させる開口を設けるとともに、該下部側面パネルの両側縁部を前記前面板及び前記背面板の端部に止着し、前記操作盤を含む前記上部側面パネル及び前記出力端子盤を含む前記下部側面パネルによって前記開口部を閉塞し、前記操作盤の背面及び前記出力端子盤の背面に、前記発電機から前記操作盤の背面及び前記制御盤の間に至る空間部を確保したことを特徴としている。
【発明の効果】
【０００７】
本発明のエンジン発電機によれば、ケーシングの発電機側側面に設けた開口部の上部側に、ケーシングの前面板端部及び背面板端部に止着される上部側面パネルを介して操作盤を設けるとともに、開口部の下部側に前面板端部及び背面板端部にそれぞれ止着される出力端子盤及び下部側面パネルを配置したので、従来、発電機を跨いで設けられていた架台を省略することができ、出力端子盤の背面と操作盤の背面とに空間部をそれぞれ確保することができる。これにより、空間部を利用して配線作業を容易に行うことができるとともに、死角となる箇所もなくなることから、配線作業や点検作業を容易かつ確実に行うことができる。
【図面の簡単な説明】
【０００８】
【図１】本発明の一形態例を示すエンジン発電機の正面図である。
【図２】エンジン発電機の発電機側から見た側面図である。
【図３】操作盤及び側面パネルを外した状態のエンジン発電機の説明図である。
【図４】図３のIV−IV矢視図である。
【図５】エンジン発電機の斜視図である。
【図６】操作盤及び側面パネルを外した状態のエンジン発電機の斜視図である。
【図７】従来のエンジン発電機の一例を示す要部の説明図である。
【発明を実施するための形態】
【０００９】
本形態例に示すエンジン発電機１１は、床台１２の上部に配設された防音構造を有する箱形のケーシング１３の内部を仕切壁１４で仕切ってエンジン室１４ａと排風室１４ｂとに区画している。エンジン室１４ａ内の下部には、発電機１５と、該発電機１５を駆動するエンジン１６とが配置され、発電機１５の上部には、燃料タンク１７と制御盤１８とが配置されている。また、仕切壁１４にはラジエータ１９が設けられ、排風室１４ｂ内にはマフラ２０が配置されている。
【００１０】
ケーシング１３は、前記床台１２に立設した前面板１３ａ、背面板１３ｂ、エンジン１６側（排風室１４ｂ側）の側面板１３ｃと、上方をケーシング上部を覆う天井板１３ｄとにより箱形に形成されており、発電機１５側の側面には開口部１３ｅが設けられ、開口部１３ｅの上部側に操作盤２１が、開口部１３ｅの下部側に出力端子盤２２がそれぞれ配置されている。
【００１１】
各種スイッチなどを備えた前記操作盤２１は、中央に開口２３ａを備えた額縁状の上部側面パネル２３内に取り付けられており、上部側面パネル２３の両側縁部が前記前面板１３ａ及び前記背面板１３ｂの端部にそれぞれボルトなどで着脱可能に取り付けられ、上部側面パネル２３の両側縁部及び上縁部が前面板１３ａ、背面板１３ｂ及び天井板１３ｄの端部にそれぞれ密着する状態となる。
【００１２】
また、上部側面パネル２３の一方の側縁部には、開口２３ａを覆う扉部材２４がヒンジ２４ａ，２４ａを介して開閉可能に取り付けられている。この扉部材２４には、操作盤２１に設けられているメータ類を外部から確認するための透明板を嵌め込んだ窓部２４ｂが設けられている。
【００１３】
操作盤２１の背面には、図示は省略するが、前記制御盤１８に接続される複数のケーブルが着脱可能なコネクタを介して設けられており、操作盤２１の前面には、出力中の周波数，電流，電圧や冷却水温度などを表示する計器類２１ａ、遮断器や出力周波数（エンジン回転数）など設定するスイッチ類２１ｂ、警告灯類２１ｃ、スタータースイッチ２１ｄなど、発電機１５及びエンジン１６を制御したり、状態を監視したりするための各種機器が設けられ、計器類２１ａや警告灯類２１ｃの一部は、前記窓部２４ｂを介して外部から視認可能に形成されている。
【００１４】
前記開口部１３ｅの下部側上部には、発電機１５で発電した電力を外部に出力する複数の接続端子２２ａやコンセント２２ｂを備えた出力端子盤２２が設けられている。出力端子盤２２は、前記上部側面パネル２３と同じ厚さの箱状に形成されており、出力端子盤２２の背面板２２ｃの両側縁部が前記前面板１３ａ及び前記背面板１３ｂの端部に止着されている。また、出力端子盤２２の前面には、接続端子２２ａやコンセント２２ｂを覆う開閉可能な蓋部材２２ｄが設けられており、該蓋部材２２ｄの下方には、接続端子２２ａやコンセント２２ｂに接続した電源ケーブルの引出口２２ｅが設けられている。
【００１５】
さらに、前記開口部１３ｅの下部側には、出力端子盤２２の周囲を覆う下部側面パネル２５が設けられている。この下部側面パネル２５は、該下部側面パネル２５の両側縁部が前記前面板１３ａ及び前記背面板１３ｂの端部に止着され、下部側面パネル２５の下縁部が床台１２に密着し、下部側面パネル２５の上縁部が前記上部側面パネル２３の下縁部に密着するように配置されるもので、上部中央には、出力端子盤２２を外部に露出させるための開口２５ａが設けられている。
【００１６】
このように、ケーシング１３の発電機１５側の側面に開口部１３ｅを形成し、該開口部１３ｅの両側に位置する前面板１３ａ及び背面板１３ｂの端部に前記上部側面パネル２３、前記出力端子盤２２及び前記下部側面パネル２５の両側縁部をそれぞれ止着するとともに、上部側面パネル２３に前記操作盤２１を取り付け、これらで開口部１３ｅを覆うように形成したことにより、ケーシング１３の水密性や防音性能を損なわずに、操作盤２１及び出力端子盤２２を取り付けるための架台が不要となり、操作盤２１及び出力端子盤２２の裏側に発電機１５の部分から操作盤２１に至る大きな空間部を形成することができる。
【００１７】
したがって、ケーシング１３内を上下に区画する従来の架台が存在しないため、発電機１５、エンジン１６、制御盤１８、操作盤２１、出力端子盤２２にそれぞれ接続される各種ケーブルの配線作業を、前記空間部を利用して行うことができる。特に、前記操作盤２１を含む上部側面パネル２３を取り外すことにより、出力端子盤２２の配線作業を開口部１３ｅの上部側から行うことができるので、架台の下側からの作業に比べて作業性を大幅に向上できる。また、架台が存在しないので死角となる部分もなくなり、点検などの作業性も向上し、配線作業だけでなく、各部の点検や修理も容易かつ確実に行うことができる。さらに、下部側面パネル２５を取り外すことにより、発電機１５の保守作業なども従来と同様に行うことができる。
【００１８】
なお、本形態例では、操作盤２１とは別体に形成された制御盤１８を、操作盤２１の裏側で前面板１３ａ及び背面板１３ｂの裏面間にあらかじめ取り付けた状態としているが、制御盤１８が操作盤２１と一体的に形成されている場合は、制御盤１８と操作盤２１とを一緒に前面板１３ａ及び背面板１３ｂの端部に取り付ければよい。
【００１９】
また、操作盤２１、出力端子盤２２、上部側面パネル２３、下部側面パネル２５を前面板１３ａや背面板１３ｂの端部に止着する位置や手段は任意であり、操作盤２１や出力端子盤２２の大きさ、重量などの条件に応じて適宜選択することができる。
【符号の説明】
【００２０】
１１…エンジン発電機、１２…床台、１３…ケーシング、１３ａ…前面板、１３ｂ…背面板、１３ｃ…側面板、１３ｄ…天井板、１３ｅ…開口部、１４…仕切壁、１４ａ…エンジン室、１４ｂ…排風室、１５…発電機、１６…エンジン、１７…燃料タンク、１８…制御盤、１９…ラジエータ、２０…マフラ、２１…操作盤、２１ａ…計器類、２１ｂ…スイッチ類、２１ｃ…警告灯類、２１ｄ…スタータースイッチ、２２…出力端子盤、２２ａ…出力端子、２２ｂ…コンセント、２２ｃ…背面板、２２ｄ…蓋部材、２２ｅ…引出口、２３…上部側面パネル、２３ａ…開口、２４…扉部材、２４ａ…ヒンジ、２４ｂ…窓部、２５…下部側面パネル、２５ａ…開口
【図１】
0005718027.tif 000002
【図２】
0005718027.tif 000003
【図３】
0005718027.tif 000004
【図４】
0005718027.tif 000005
【図５】
0005718027.tif 000006
【図６】
0005718027.tif 000007
【図７】
0005718027.tif 000008